(57)【要約】【課題】シャワーヘッド内に残った滞留水が、掃除などの際にシャワーホースなどに触れ振動が加わった場合でも漏らさないという、水切れのよいシャワーノズルの封止構造を提供する。【解決するための手段】湯水流入口と、この湯水流入口から連通する通水路を内部に有するシャワーヘッド本体と、複数の通水孔を有する散水部を備えたシャワーノズルにおいて、前記散水部内部に、閉止状態では前記通水孔を塞ぎ、通水状態では水圧により押し広げ、前記通水孔を開放し散水する閉塞部材を装着したことを特徴とするシャワーノズルの封水構造。ことにより、シャワーの使用が終わったあと、散水部内部に装着された閉塞部材で通水孔を塞ぐことができるため、シャワーノズル内に滞留している残水が、掃除などの際、シャワーホースなどに触れ振動が加わった場合でもエア交換が行われず、ポタポタと漏らすことを防ぐ。【選択図】  図２
2005027924.tif 000002
【特許請求の範囲】
【請求項１】
湯水流入口と、この湯水流入口から連通する通水路を内部に有するシャワーヘッド本体と、複数の通水孔を有する散水部を備えたシャワーノズルにおいて、
前記散水部内部に、閉止状態では前記通水孔を塞ぎ、通水状態では水圧により押し広げ、前記通水孔を開放し散水する閉塞部材を装着したことを特徴とするシャワーノズルの封水構造。
【請求項２】
前記閉塞部材は、伸縮自在な軟質体であることを特徴とする請求項１記載のシャワーノズルの封水構造。
【請求項３】
前記シャワーヘッド本体内の通水路を、弾性部材を介して前記閉塞部材で閉塞することを特徴とする請求項１、２いずれかに記載のシャワーノズルの封水構造。
【請求項４】
前記弾性部材はバネ部材であることを特徴とする請求項３記載のシャワーノズルの封水構造。
【発明の詳細な説明】
【技術分野】
【０００１】
本発明は、浴室用吐水装置などとして使用されるシャワーノズルの封水構造に関する発明である。
【背景技術】
【０００２】
従来のシャワーノズルの場合、使い終わったあとシャワーフックにシャワーノズルを係止すると、表面張力のバランスで止まっていたシャワーノズル内の滞留水が、シャワーノズル散水部より、いつまでも水がポタポタと落下し、品位が劣るものがあった。
一方、従来の問題点を解決して、特許文献１に開示されている如く、水切れのよいシャワーノズルを提供するために、散水部内側にメッシュ状の網を入れたものが既に開示されている。このものにおいては、シャワーノズルからいつまでもポタポタと落下する水滴を落ちにくくするため、メッシュ状の網を組込み表面張力をより強くすることで解決を図っている。
【０００３】
【特許文献１】特開２００２−３５５５８１号
【発明の開示】
【発明が解決しようとする課題】
【０００４】
しかしながら、散水部内部にメッシュ状の網などを挿入した場合であっても、掃除などの際、シャワーヘッドがシャワーホースなどに触れ振動を与えたりすると網部分の表面張力が壊れ、通水孔よりエア交換が始まりシャワーノズル内の滞留水がいつまでもポタポタと落下し品位が悪くなっていた。
特に略柱形状のシャワーノズルにおいては、散水部内部の水頭圧が下流側の通水孔に全部かかるため、残水が止まりにくい傾向にあった。
また、強力な表面張力を働かせるためのメッシュ状の網では、特殊な加工を施すため費用がかかり、部品コストが高くなるという問題も発生していた。
【０００５】
従って、本発明の目的は上記課題を解決し、シャワーヘッド内に残った滞留水が、掃除などの際にシャワーホースなどに触れ振動が加わった場合でも漏らさないという、水切れのよいシャワーノズルの封止構造を提供することにある。
【課題を解決するための手段】
【０００６】
上記課題を解決するために、請求項１では、湯水流入口と、この湯水流入口から連通する通水路を内部に有するシャワーヘッド本体と、複数の通水孔を有する散水部を備えたシャワーノズルにおいて、
前記散水部内部に、閉止状態では前記通水孔を塞ぎ、通水状態では水圧により押し広げ、前記通水孔を開放し散水する閉塞部材を装着したことを特徴とするシャワーノズルの封水構造とした。
【０００７】
このように構成することで、シャワーの使用が終わったあと、散水部内部に装着された閉塞部材で通水孔を塞ぐことができるため、シャワーノズル内に滞留している残水が、掃除などの際、シャワーホースなどに触れ振動が加わった場合でもエア交換が行われず、ポタポタと漏らすことを防ぎ、水切れのよいシャワーノズルを提供することができる。
【０００８】
上記課題を解決するために、請求項２では、前記閉塞部材は、伸縮自在な軟質体であることとした。
【０００９】
このように構成することで、シャワーの使用が終わったあと、散水部内部に装着された伸縮自在な軟質体で通水孔を塞ぐことができるため、シャワーノズル内に滞留している残水が、掃除などの際、シャワーホースなどに触れ振動が加わった場合でもエア交換が行われず、ポタポタと漏らすことを防ぎ、水切れのよいシャワーノズルを提供することができる。
【００１０】
上記課題を解決するために、請求項３では、前記シャワーヘッド本体内の通水路を、弾性部材を介して前記閉塞部材で閉塞することとした。
【００１１】
これにより、弾性部材の押圧力により通水路を弾性部材で閉塞することができるため、止水後は確実にシャワーヘッドからの漏水を防止することができる。
【００１２】
上記課題を解決するために、請求項４では、前記弾性部材はバネ部材であることとした。
【００１３】
これにより、簡単な構造でシャワーヘッドの通水路を弾性部材にて閉塞することができるので、安価となり、コストアップとならない。
【発明の効果】
【００１４】
本発明によれば、シャワーノズル内に滞留している残水が、掃除などの際、シャワーホースなどに触れ振動が加わった場合でも、ポタポタと漏らすことがないという効果がある。
【発明を実施するための最良の形態】
【００１５】
以上説明した本発明の構成・作用を一層明らかにするために、以下本発明の好適な実施例について説明する。
図１は、本発明の実施例であるシャワーノズルの外観斜視図。図２は、本発明の実施例であるシャワーノズルの縦方向の断面図である。
【００１６】
まず、シャワーノズル１の外観について図１に基づき説明する。
シャワーノズル１は、Ｉ字型の略円柱形状をしている。
そして、シャワーノズル１は、手で持つシャワーヘッド本体２と、側面に複数の通水孔３を形成した散水部１ａとを備えている。
また、シャワーノズル１の一端には継手１１を介してシャワーホース（図示せず）を接続している。他端には、キャップ７が配されている。
【００１７】
次に、図２に基づき、シャワーノズル１の内部構造について説明する。
本発明のシャワーノズル１は、湯水流入口部２ａを有するシャワーヘッド本体２と、複数の通水孔３を有する散水管４と、伸縮自在な閉塞部材である軟質体８とから主に構成されている。
【００１８】
各構成部品の具体的な構造ならびに各構成部品の相互関係について以下に説明する。
シャワーヘッド本体２は、Ｉ字型の略円柱形状をしている。
そして、シャワーヘッド本体２の一端には、水栓（図示せず）からシャワーホース（図示せず）を介して湯水が供給される湯水流入口部２ａを具備し、他端には、Ｏリングなどのパッキン９を介して散水管４を螺着するねじ部５とを具備している。
すなわち、ねじ部５を介してシャワーヘッド本体２と散水管４とが一体的に連結され、シャワーノズル１がＩ字型略円柱形状を形成している。
【００１９】
散水管４は、Ｉ字型の略円柱形状をしており、側面に散水部１ａを形成し、通水孔３がこの散水管４（散水部１ａ）の側面の長手方向に複数設けられている。
【００２０】
散水管４の内部には伸縮自在な軟質体８が装着されている。
この軟質体８はストレッチ素材のような伸縮性のあるものあるいは柔軟なゴム材等でできており、その両端には散水管に装着する際に用いられる円筒部８ａを有している（図７参照）。
【００２１】
軟質体８の両端に具備された円筒部８ａは散水管４に固定するための軸１０が挿入される。軸１０が挿入された軟質体８の一方は、散水管４の一端に設けられた第１切り欠き部１８に挿入される。この第1切り欠き部１８は通水孔３上方から散水管４形状に沿って設けられている。その後Ｏリングなどのパッキン６を具備したキャップ７を散水管４に螺着し固定される。これにより、上流側からの水圧を受けた場合であっても、キャップ７は抜けることなく固定されている。他端の軸１０は散水管４のねじ部５内壁Ｌ字形状に設けられた第２切り欠き部１９に挿入され固定される。これにより、上流側からの水圧を受けた場合であっても、抜けることなく固定されている。
【００２２】
図３は、本発明の実施例であるシャワーノズル１の散水状態を示すの縦方向の断面図である。図３を用いて、シャワーノズル１の散水状態を説明する。
通常は湯水流入口部２ａから供給された湯水は、散水管４と軟質体８の間の空間に入り軟質体８を押し広げながら通水孔３側に充満し、通水孔３より湯水がシャワーとして吐水することが可能となる。逆に、湯水流入口部２ａからの供給が無くなった場合は、背面に充満された湯水が重力で下がるに従い通水孔３からも湯水が出て行き、軟質体８は復元され通水孔３を塞ぎ、シャワー吐水を閉止する。
【００２３】
このように通水孔３が軟質体８によって塞がれることにより、エア交換ができなくなる。つまりは、振動により表面張力が壊れそうな場合でも通水孔３からのエア交換ができないため、使用後に滞留水がいつまでもポタポタと湯水が漏れだすということが無くなる。
【００２４】
図４は、本発明の別の実施例であるシャワーノズルの止水状態を示す縦方向の断面図である。
通水孔３を塞ぐものとしては軽量板１２でも可能である。この軽量板１２は一方に回転軸１５の通る貫通穴１４が散水管４の短手方向にあいており、他端は貫通穴１４に平行に曲がっている。貫通穴１４には回転軸１５が挿入され、散水管４の上部切り欠きに固定される。背面は通水孔３を塞ぐ方向にばねなどの弾性体１３にて付勢されている。
【００２５】
図５は、本発明の別の実施例であるシャワーノズルの散水状態を示す縦方向の断面図である。
この実施例においては、軽量板１２の下端部を通水部の中心方向に傾斜するよう構成している。このように構成することで、湯水流入口部２ａから供給された湯水は、弾性体１３の付勢に逆らい軽量板１２を押し上げ通水孔３より湯水がシャワーとして吐水することとなる。逆に、湯水流入口部２ａからの供給がなくなった場合は、弾性体１３の復元する力により軽量板１２を通水孔３側に押し、通水孔３を塞ぎ、シャワー吐水を閉止する。
尚、弾性体１３の復元力で塞がれた通水孔３と軽量板１２の間に若干の隙間があってもエア交換されない範囲であれば、水がたれ落ちることが無いので、差し支えないことは言うまでもないことである。
【００２６】
さらに、図６は、本発明の別の実施例であるシャワーノズル１の止水および散水状態を示す断面図である。
一般的なシャワーノズル１に本発明の封水構造を適用する場合は、通水路１６を塞ぐように軟質体８がバネ１７の押圧力により支持され、止水状態を維持することになる（図６（ａ）参照）。
また、散水時には湯水の水圧により軟質体８がバネ１７の押圧力に比し強いため、通水路１６が開放されることによりシャワー吐水が行われることになる（図６（ｂ）参照）。
止水時には上記の効果と同様に、軟質体８が通水路１６を閉塞することにより、確実に漏水を防止することが可能となる。
【産業上の利用可能性】
【００２７】
給水された湯水を複数の通水孔により散水するシャワー装置、例えば、浴室用吐水装置や、台所吐水装置等に利用可能性がある。
【図面の簡単な説明】
【００２８】
【図１】本発明の実施例であるシャワーノズルの外観斜視図である。
【図２】本発明の実施例であるシャワーノズルの縦方向の断面図である。
【図３】本発明の実施例であるシャワーノズルの散水状態を示す縦方向の断面図である。
【図４】本発明の別の実施例であるシャワーノズルの止水状態を示す縦方向の断面図である。
【図５】本発明の別の実施例であるシャワーノズルの散水状態を示す縦方向の断面図である。
【図６】本発明の別の実施例であるシャワーノズルの止水および散水状態を示す断面図である。
【図７】本発明の実施例である軟質体と、散水管に装着される円筒部を示す図である。
【符号の説明】
【００２９】
１…  シャワーノズル
１ａ…散水部
２…  シャワーヘッド本体
２ａ…湯水流入口部
３…  通水孔
４…  散水管
５…  ねじ部
６…  パッキン
７…  キャップ
８…  軟質体
８ａ…円筒部
９…  パッキン
１０…軸
１１…継手
１２…軽量板
１３…弾性体
１４…貫通穴
１５…回転軸
１６…通水路
１７…バネ
１８…第1切り欠き部
１９…第2切り欠き部
【図１】
2005027924.tif 000003
【図２】
2005027924.tif 000004
【図３】
2005027924.tif 000005
【図４】
2005027924.tif 000006
【図５】
2005027924.tif 000007
【図６】
2005027924.tif 000008
【図７】
2005027924.tif 000009